(57)【特許請求の範囲】
【請求項１】
モータ（３５ａ）により駆動され、水平方向に吹き出すファン（３５）と、
天板（５７）と前記ファンの吹出口（５１ａ）が形成された前板（５１）とを有するケーシング（５０）と、
前記モータを保持するモータ台（１３０）と、
前記モータ台の背面側に配置されるアルミニウム製又はアルミニウム合金製の熱交換器（２５）と、
前記天板と前記モータ台とを固定するネジ（１３６）と、
を備え、
前記天板は、平面状の天板部（１５７）と、前記天板部の背面側端部から下方に延びる第１背面部（１５９ａ）および第２背面部（１５８ａ）を有し、
前記第１背面部は、前記第２背面部に対し、背面側に突出しており、
前記モータ台は、正面側から背面側に向かって前記熱交換器の上方を通過して前記第１背面部まで延びる延伸部（１３３）と、前記延伸部から前記第１背面部と平行に下方に延びる固定部（１３４）と、を有し
前記ネジは、前記第１背面部と前記固定部とを共締めして固定し、
前記第２背面部は、前記熱交換器と隣接する、
冷凍装置（１）の室外ユニット（２０）。
【請求項２】
前記第１背面部は、前記第２背面部に対し、前記ネジの軸部（１３６ｂ）の長さ（Ｌ１）以上、背面側に突出する、
請求項１に記載の室外ユニット。
【請求項３】
前記ネジは鋼製である、
請求項１又は２に記載の室外ユニット。
【請求項４】
前記延伸部は、前記固定部よりも正面側であって、前記熱交換器よりも背面側に、前記延伸部から下方に延びる抑止板（１３５）をさらに有する
請求項１から３のいずれか１項に記載の室外ユニット。
【請求項５】
非金属製の第１シール材（１３９）をさらに備え、
前記抑止板は鋼製であって、
前記第１シール材は、前記熱交換器と前記抑止板との間に挟まれるように配置される、
請求項４に記載の室外ユニット。
【請求項６】
非金属製の第２シール材（１３８）をさらに備え、
前記延伸部は鋼製であって、
前記第２シール材は、前記熱交換器と前記延伸部の下面（１３３ａ）との間で挟まれるように配置される、
請求項１から５のいずれか１項に記載の室外ユニット。
【請求項７】
前記ケーシングは、前記ケーシングの下面を形成する底フレーム（５２）をさらに有し、
前記モータ台は、前記底フレームと固定され、前記底フレームから上方に伸びる脚部（１３１）をさらに有し、
前記延伸部は、前記脚部の上端から前記背面側に水平に延びる、
請求項１から６のいずれか１項に記載の室外ユニット。
【発明の詳細な説明】
【技術分野】
【０００１】
本発明は、冷凍装置の室外ユニットに関する。
【背景技術】
【０００２】
冷凍装置の室外ユニットにおいて、ファンのモータを固定するモータ台を支持するため、ケーシングの天板とモータ台とが固定された構造が知られている。例えば、特許文献１（特開２００６−１７７６２０号公報）には、天板とモータ台とがネジにより共締めされて固定された構造が開示されている。
【０００３】
ところで、近年では、冷凍装置の室外ユニットの小型化が求められており、天板と熱交換器とは隣接して配置されることが多い。特許文献１においても、天板と熱交換器とは隣接して配置されている。そして、天板とモータ台とを固定するネジが熱交換器と接触することを避けるため、熱交換器の上端の一部が取り除かれた構成が開示されている。
【発明の概要】
【発明が解決しようとする課題】
【０００４】
しかし、特許文献１のように熱交換器の一部が取り除かれた場合には、その分だけ熱交換器の表面積が減少するため、熱交換器の熱交換能力が低下するという問題がある。特に、アルミニウム製又はアルミニウム合金製の熱交換器を使用する場合には、熱交換器がネジと接触して損傷又は腐食することを確実に避けるため、熱交換器の上端部分を大幅に取り除くことが必要になる場合があり、熱交換器の熱交換能力の大幅な低下につながりかねないことを本願発明者は見い出した。
【０００５】
このような問題は、ケーシングを大型化すれば解決できるが、このような方法では室外ユニットの小型化要求に応えることができない。
【０００６】
本発明の課題は、熱交換器にネジ等が接触して損傷することが防止され、小型化が図られた、冷凍装置の室外ユニットを提供することにある。
【課題を解決するための手段】
【０００７】
本発明の第１観点に係る冷凍装置の室外ユニットは、ファンと、ケーシングと、モータ台と、熱交換器と、ネジとを備える。ファンは、モータにより駆動され、水平方向に吹き出す。ケーシングは、天板と、ファンの吹出口が形成された前板とを有する。モータ台は、モータを保持する。熱交換器は、モータ台の背面側に配置され、アルミニウム製又はアルミニウム合金製である。ネジは、天板とモータ台とを固定する。天板は、平面状の天板部と、天板部の背面側端部から下方に延びる第１背面部および第２背面部を有する。第１背面部は、第２背面部に対し、背面側に突出している。モータ台は、正面側から背面側に向かって熱交換器の上方を通過して第１背面部まで延びる延伸部と、延伸部から第１背面部と平行に下方に延びる固定部と、を有する。ネジは、第１背面部と固定部とを共締めして固定する。第２背面部は、熱交換器と隣接する。
【０００８】
ここでは、天板部の背面側端部から下方に延びる背面部の一部（第１背面部）が背面側に突出し、第１背面部はモータ台の固定部とネジで固定される。つまり、ネジが取り付けられる第１背面部と熱交換器との距離を離すことができる。その結果、ネジと熱交換器とは接触しにくくなり、熱交換器の損傷が発生しにくい。一方で、第２背面部は第１背面部に対して前方に位置するので、室外ユニットは小型化可能である。
【０００９】
本発明の第２観点に係る冷凍装置の室外ユニットは、第１観点に係る冷凍装置の室外ユニットにおいて、第１背面部は、第２背面部に対しネジの軸部の長さ以上、背面側に突出する。
【００１０】
ここでは、第１背面部を、第２背面部よりもネジの軸部の長さより大きく突出させることで、室外ユニットを小型化したときにも、ネジと熱交換器との接触を確実に防止し、熱交換器の損傷を防止することが容易になる。なお、ネジの軸部とは、おねじの頭部を除いた部分を指す。
【００１１】
本発明の第３観点に係る冷凍装置の室外ユニットは、第１観点又は第２観点のいずれかに係る冷凍装置の室外ユニットにおいて、ネジは鋼製である。
【００１２】
ここでは、ネジが鋼製であるため、アルミニウム製又はアルミニウム合金製の熱交換器とネジとが接触した場合には、熱交換器に腐食が発生しやすい。このような場合であっても、ネジと熱交換器の接触が防止されるので、熱交換器の腐食が発生しにくい。
【００１３】
本発明の第４観点に係る冷凍装置の室外ユニットは、第１観点から第３観点のいずれかに係る冷凍装置の室外ユニットにおいて、延伸部は、固定部よりも正面側であって、熱交換器よりも背面側に、延伸部から下方に延びる抑止板をさらに有する。
【００１４】
ここでは、固定部と熱交換器との間に抑止板が存在するため、ネジをねじ込みすぎた場合であっても、ネジは、熱交換器に接触するより前に抑止板と接触する。そのため、ネジが熱交換器に接触することをより確実に防止できる。その結果、室外ユニットを小型化しても、熱交換器がネジと接触して損傷することがない。
【００１５】
本発明の第５観点に係る冷凍装置の室外ユニットは、第４観点に係る冷凍装置の室外ユニットにおいて、非金属製の第１シール材をさらに備える。抑止板は鋼製である。第１シール材は、熱交換器と抑止板との間に挟まれるように配置される。
【００１６】
ここでは、アルミニウム製又はアルミニウム合金製の熱交換器と、モータ台の鋼製の抑止板とを近づけて配置し、室外ユニットの小型化を図った場合であっても、非金属製の第１シール材が熱交換器と抑止板との間に配置されるので、抑止板と熱交換器の直接接触を防止できる。その結果、熱交換器の腐食を防止できる。
【００１７】
本発明の第６観点に係る冷凍装置の室外ユニットは、第１観点から第４観点のいずれかに係る冷凍装置の室外ユニットにおいて、非金属製の第２シール材をさらに備える。延伸部は鋼製である。第２シール材は、熱交換器と延伸部の下面との間で挟まれるように配置される。
【００１８】
ここでは、アルミニウム製又はアルミニウム合金製の熱交換器と、モータ台の鋼製の延伸部とを近づけて配置することで室外ユニットの高さを下げて室外ユニットの小型化を図った場合であっても、非金属製の第２シール材が熱交換器と延伸部との間に配置されるので、延伸部と熱交換器の直接接触を防止できる。その結果、熱交換器の腐食を防止できる。
【００１９】
本発明の第７観点に係る冷凍装置の室外ユニットは、第１観点から第６観点のいずれかに係る冷凍装置の室外ユニットにおいて、ケーシングは、ケーシングの下面を形成する底フレームをさらに有する。モータ台は、底フレームと固定され、底フレームから上方に伸びる脚部をさらに有する。延伸部は、脚部の上端から背面側に水平に延びる。
【００２０】
ここでは、モータ台が、天板以外に底フレームとも固定されるため、モータ台をしっかりと固定できる。そのため、運搬中の振動等によりモータ台の一部が熱交換器に接触し、熱交換器を損傷することを防止できる。
【発明の効果】
【００２１】
本発明の第１観点に係る冷凍装置の室外ユニットでは、天板部の背面側端部から下方に延びる背面部の一部（第１背面部）が背面に突出し、第１背面部はモータ台の固定部とネジで固定される。つまり、ネジが取り付けられる第１背面部と熱交換器との距離を離すことができる。その結果、ネジと熱交換器とは接触しにくくなり、熱交換器の損傷が発生しにくい。一方で、第２背面部は第１背面部に対して前方に位置するので、室外ユニットは小型化可能である。
【００２２】
本発明の第２観点に係る冷凍装置の室外ユニットでは、室外ユニットを小型化したときにも、ネジと熱交換器との接触を確実に防止し、熱交換器の損傷を防止することが容易になる。
【００２３】
本発明の第３観点に係る冷凍装置の室外ユニットでは、鋼製のネジとアルミニウム製又はアルミニウム合金製の熱交換器との接触が防止されるので、熱交換器の腐食が発生しにくい。
【００２４】
本発明の第４観点に係る冷凍装置の室外ユニットでは、室外ユニットを小型化しても、熱交換器がネジと接触して損傷することがない。
【００２５】
本発明の第５観点および第６観点に係る冷凍装置の室外ユニットでは、熱交換器をモータ台に近づけて配置し、室外ユニットの小型化を図った場合であっても、モータ台の鋼製部分がアルミニウム製又はアルミニウム合金製と直接接触して熱交換器の腐食が発生することを防止できる。
【００２６】
本発明の第７観点に係る冷凍装置の室外ユニットでは、運搬中の振動等によりモータ台の一部が熱交換器と接触し、熱交換器を損傷することを防止できる。
【図面の簡単な説明】
【００２７】
【図１】本発明の一実施形態に係る冷凍装置の室外ユニットが採用された空気調和装置の概略の冷媒回路図である。
【図２】本発明の一実施形態に係る冷凍装置の室外ユニットの概略斜視図である。
【図３】本発明の一実施形態に係る冷凍装置の室外ユニットの天板を取り除いた状態での概略平面図である。
【図４】室外熱交換器の概略斜視図である。同一部材については、一部の参照符号を省略している。
【図５】室外熱交換器の扁平多孔管および差込フィンを鉛直方向に切断したときの部分拡大図である。同一部材については、一部の参照符号を省略している。
【図６】本発明の一実施形態に係る冷凍装置の室外ユニットのモータ台の概略正面図である。
【図７】図３のVII−VII矢視におけるモータ台の延伸部付近の概略拡大断面図である。なお、図３では図示されていないケーシングの天板を含む（二点破線で図示）。
【図８】本発明の一実施形態に係る冷凍装置の室外ユニットのケーシングの天板の概略斜視図である。
【発明を実施するための形態】
【００２８】
以下、図面を参照しながら、本発明の実施形態について説明する。
【００２９】
本実施形態の冷凍装置の室外ユニットは、空気調和装置の室外ユニットとして利用される。
【００３０】
（１）空気調和装置の概要
（１−１）全体構成
空気調和装置１は、いわゆるセパレートタイプの空気調和装置であり、図１に示すように、室外ユニット２０と、室内ユニット４０と、室外ユニット２０と室内ユニット４０とを接続する液冷媒連絡配管７１およびガス冷媒連絡配管７２とを有する。
【００３１】
（１−２）室内ユニット
室内ユニット４０は、空気調和の対象である室内に設置される。室内ユニット４０は、主に、室内熱交換器４１と、室内ファン４２とを有する。
【００３２】
室内熱交換器４１は、伝熱管と多数の伝熱フィンとにより構成されたクロスフィン式のフィン・アンド・チューブ型熱交換器である。冷房運転時には冷媒の蒸発器として機能して室内空気を冷却し、暖房運転時には冷媒の凝縮器として機能して室内空気を加熱する。室内熱交換器４１の液側は液冷媒連絡配管７１に接続され、室内熱交換器４１のガス側はガス冷媒連絡配管７２に接続される。
【００３３】
室内ファン４２は、図示しないモータにより回転され、室内空気を取り込んで室内熱交換器４１に送風し、室内熱交換器４１と室内空気との熱交換を促進する。
【００３４】
（１−３）室外ユニット
図１に室外ユニット２０内の冷媒回路を、図２に室外ユニット２０の概観斜視図を示す。室外ユニット２０は、室外に設置される横吹き型の室外ユニットである。室外ユニット２０は、主に、アキュムレータ２１、圧縮機２３、四路切換弁２４、室外熱交換器２５、膨張弁２６、液側閉鎖弁２７、ガス側閉鎖弁２８、および室外ファン３５を、ケーシング５０内に有する。アキュムレータ２１、圧縮機２３、四路切換弁２４、室外熱交換器２５、膨張弁２６、液側閉鎖弁２７、および、ガス側閉鎖弁２８は、冷媒配管により接続される。冷媒配管による接続については後述する。
【００３５】
なお、室外ファン３５の吹出し側に配置されるケーシング５０の前板５１には、図３に示すように、室外ファン３５から送風される空気の吹出口５１ａが形成される。吹出口５１ａは円形の開口である。吹出口５１ａの開口の周縁部からは、ケーシング５０の内側に向かって突出するベルマウス６５が設けられる。吹出口５１ａのケーシング５０外側には、吹出口５１ａ全体を覆う吹出グリル６０が取り付けられる。
【００３６】
（２）室外ユニットの詳細説明
以下の説明で、「上」、「下」、「左」、「右」、「前」、「後」、「正面」、「背面」等の方向を示す表現を用いているが、特に断りのない場合、吹出グリル６０の配置される前板５１を室外ユニット２０の正面として、正面側から見た場合の方向を示す。
【００３７】
（２−１）冷媒配管による接続
圧縮機２３の吸入口と四路切換弁２４とは、吸入管８１によって接続される。吸入管８１には、圧縮機２３の吸入口と四路切換弁２４との間に、アキュムレータ２１が設けられる。圧縮機２３の吐出口と四路切換弁２４とは、吐出管８２によって接続される。四路切換弁２４と室外熱交換器２５のガス側とは、第１ガス冷媒管８３によって接続される。室外熱交換器２５と液側閉鎖弁２７とは、液冷媒管８４によって接続される。液冷媒管８４には、室外熱交換器２５と液側閉鎖弁２７との間に、膨張弁２６が設けられる。液側閉鎖弁２７は、液冷媒連絡配管７１に接続される。四路切換弁２４とガス側閉鎖弁２８とは、第２ガス冷媒管８５によって接続される。ガス側閉鎖弁２８は、ガス冷媒連絡配管７２に接続される。
【００３８】
（２−２）圧縮機
圧縮機２３はガス冷媒を吸入し、ガス冷媒を圧縮する。圧縮機２３は容積式圧縮機である。
【００３９】
（２−３）四路切換弁
四路切換弁２４は、空気調和装置１の冷房運転と暖房運転との切換時に、冷媒の流れ方向を切り換える。冷房運転時には吐出管８２と第１ガス冷媒管８３とを接続するとともに吸入管８１と第２ガス冷媒管８５とを接続する。一方、暖房運転時には吐出管８２と第２ガス冷媒管８５とを接続するとともに吸入管８１と第１ガス冷媒管８３とを接続する。
【００４０】
（２−４）アキュムレータ
アキュムレータ２１は、冷媒を気相と液相とに分離する気液分離機能を有する。アキュムレータ２１に流入する冷媒は、液相と気相とに分離され、上部空間に集まる気相の冷媒は圧縮機２３に供給される。
【００４１】
（２−５）室外熱交換器
室外熱交換器２５は、室外空気との熱交換によって内部を流れる冷媒を凝縮又は蒸発させる。室外熱交換器２５は、全てがアルミニウム製又はアルミニウム合金製である。室外熱交換器２５は、ケーシング５０を含む鋼製部材と直接接触することがないよう、鋼製部材と適切なスペースを空けて、又は、樹脂部材等を鋼製部材と室外熱交換器２５との間に設置して、ケーシング５０内に配置される。
【００４２】
後述する室外ファン３５によりケーシング５０外から取り込まれた室外空気は、室外熱交換器２５を通過したのち、ケーシング５０に形成された吹出口５１ａからケーシング外へ排出される。
【００４３】
室外熱交換器２５は、扁平多孔管９３、差込フィン９４およびヘッダ９１，９２を有する。図４は、室外熱交換器２５の概略斜視図である。
【００４４】
室外熱交換器２５は、図３のように、ケーシング５０の背面側に沿って、後述する仕切板５８の端部付近から左方に延び、ケーシング５０の左後方角部付近でその方向を変え、後述する左側板５４に沿って前方に延びる。
【００４５】
図５は、扁平多孔管９３および差込フィン９４を鉛直方向に切断したときの部分拡大図である。扁平多孔管９３は、伝熱面となる上下の平面部と、冷媒が流れる複数の内部流路９３ａとを有している。扁平多孔管９３は、平面部を上下に向けた状態で、間隔をあけて複数段配列される。差込フィン９４は、図５に示す形状のフィンであり、扁平多孔管９３に接している。両ヘッダ９１，９２の間に配列された複数段の扁平多孔管９３に対して差込フィン９４を差し込めるように、差込フィン９４には、水平に細長く延びる複数の切り欠き９４ａが形成されている。これらの差込フィン９４の切り欠き９４ａの形状は、図５に示すように、扁平多孔管９３の断面の外形にほぼ一致している。
【００４６】
ヘッダ９１，９２は、上下方向に複数段配列された扁平多孔管９３の両端に連結される。ヘッダ９１，９２は、扁平多孔管９３を支持する機能と、冷媒を扁平多孔管９３の内部流路９３ａに導く機能と、内部流路９３ａから出てきた冷媒を集合させる機能とを有している。
【００４７】
（２−６）膨張弁
膨張弁２６は、冷媒圧力や冷媒流量の調節を行うために設けられ、冷房運転時および暖房運転時のいずれにおいても、冷媒を膨張させる機能を有する。
【００４８】
（２−７）閉鎖弁
液側閉鎖弁２７およびガス側閉鎖弁２８は、それぞれ、液冷媒連絡配管７１およびガス冷媒連絡配管７２に接続される。通常運転時においては、両閉鎖弁２７，２８は開いた状態にある。
【００４９】
（２−８）室外ファン
室外ファン３５は、水平方向に送風するファンである。室外ファン３５は、主に鋼製であるモータ台１３０に固定されたモータ３５ａにより回転され、室外空気をケーシング５０の外部から取り込む。取り込まれた室外空気は、室外熱交換器２５を通過したのち、ケーシング５０に形成された吹出口５１ａからケーシング５０の外へ排出される。すなわち、室外ファン３５が回転することで、概ね図３中の矢印のように空気が移動する。
【００５０】
モータ台１３０について、図６および図７に基づき詳しく説明する。
【００５１】
モータ台１３０は、図６のように、ケーシング５０の底フレーム５２に固定され略鉛直上方に延びる二本のパイプを有する脚部１３１と、脚部１３１に固定されており、モータ３５ａが固定されるモータ取付穴１３２ａが形成されたモータ固定板１３２と、脚部１３１の上端からケーシング５０の背面側に向かって略水平に延びる延伸部１３３と、延伸部１３３の背面側端部から略鉛直下方に延びる固定部１３４と、を有する。
【００５２】
延伸部１３３は、脚部１３１の上端から後方に向かって、室外熱交換器２５の上方を通過して、後述する天板５７の突出背面部１５９ａまで略水平に延びる。
【００５３】
延伸部１３３は、後述する固定部１３４の前方かつ室外熱交換器２５の後方に配され、固定部１３４と略平行に延びる抑止板１３５と、室外熱交換器２５の前方かつ脚部１３１の後方に配され固定部１３４と略平行に延びる鉛直板１３７とを有する。つまり、正面側から見たときに、脚部１３１、鉛直板１３７、室外熱交換器２５、抑止板１３５、固定部１３４の順に配置される。なお、室外熱交換器２５は、抑止板１３５とは、後述する抑止板シール材１３９を挟んで略接するように配置される。また、室外熱交換器２５は、鉛直板１３７とは、容易に接触することが無いよう距離を離して配置される。
【００５４】
延伸部１３３の下面１３３ａであって、抑止板１３５と鉛直板１３７との間には、鋼製の延伸部１３３と室外熱交換器２５とが直接接触することが無いよう、樹脂製の延伸部シール材１３８が貼付され固定される。また、抑止板１３５の正面側の前面１３５ａにも、鋼製の抑止板１３５と室外熱交換器２５とが直接接触することが無いよう、樹脂製の抑止板シール材１３９が貼付され固定される。抑止板シール材１３９と室外熱交換器２５とは、略接する程度に近づけて配置される。なお、本実施形態では延伸部シール材１３８および抑止板シール材１３９は樹脂製であるが、非金属製のシール材であればよい。
【００５５】
固定部１３４は、延伸部１３３の背面側端部から、後述する天板５７の突出背面部１５９ａと略平行に略鉛直下方に延びる。固定部１３４には、モータ台１３０を天板５７と固定するための図示しないネジ穴が３箇所形成されており、各ネジ穴に鋼製のネジ１３６を挿入し、固定部１３４と天板５７の突出背面部１５９ａとを共締めして、モータ台１３０と天板５７とを固定する。
【００５６】
なお、固定部１３４と抑止板１３５とは、固定部１３４に取り付けられるネジ１３６の軸部１３６ｂの長さＬ１以上に離れており、通常、ネジ１３６は抑止板１３５と接触することはない。なお、ネジ１３６の軸部１３６ｂとは、図７のように、ネジ１３６からネジ１３６の頭部１３６ａを除いた部分を指す。ネジ１３６のサイズを間違えたような場合にも、ネジ１３６はまず抑止板１３５と接触するので、ネジ１３６が、室外熱交換器２５と直接接触することはない。
【００５７】
（２−９）ケーシング
ケーシング５０は、主に鋼製である。ケーシング５０は、前板５１と左側板５４とが一体に形成された左ケーシング部材１５１、底フレーム５２、右前板５５、右後板５６、天板５７、および仕切板５８から構成される。
【００５８】
（２−９−１）左ケーシング部材
左ケーシング部材１５１は、平面視において略Ｌ字形状に形成される板状部材であり、前板５１と左側板５４とが一体に成形されている。左ケーシング部材１５１は、底フレーム５２から天板５７まで略鉛直上方に延びる。左ケーシング部材１５１と、底フレーム５２および天板５７とは、それぞれネジ等により固定される。
【００５９】
前板５１は、ケーシング５０の左側正面を構成する板状部材である。前板５１には、室外ファン３５から送風される空気の吹出口５１ａが形成されている。吹出口５１ａは円形の開口である。吹出口５１ａの開口の周縁部からは、ケーシング５０の内側に向かって突出するベルマウス６５が設けられる。吹出口５１ａのケーシング５０外側には、吹出グリル６０が取り付けられる。
【００６０】
左側板５４は、ケーシング５０の左側面を構成する部材であり、室外熱交換器２５の前後方向に延びる部分と対面する。左側板５４には、室外ファン３５によってケーシング５０内に吸入される空気の吸入口５４ａが形成される。
【００６１】
（２−９−２）底フレーム
底フレーム５２は、ケーシング５０の下面を構成する略直方形状の板状部材である。底フレーム５２の周縁部には、上向きに延びる図示しない折曲部が設けられている。折曲部には、左ケーシング部材１５１、右前板５５、右後板５６、および仕切板５８がネジ等により固定される。また、底フレーム５２には、モータ台１３０の脚部１３１もネジ等により固定される。
【００６２】
（２−９−３）右前板
右前板５５は、ケーシング５０の右前面及び右側面の前部を構成する板状部材である。右前板５５は、底フレーム５２から天板５７まで略鉛直上方に延び、底フレーム５２とネジ等により固定される。また、右前板５５の左端部は、左ケーシング部材１５１の前板５１の右端部と、ネジ等により固定される。
【００６３】
（２−９−４）右後板
右後板５６は、ケーシング５０の右背面及び右側面の後部を構成する板状部材である。右後板５６は、底フレーム５２から天板５７まで略鉛直上方に延び、底フレーム５２および天板５７と、それぞれネジ等により固定される。左ケーシング部材１５１の左側板５４の後端部と、右後板５６の背面側端部との左右方向間には、室外ファン３５によってケーシング５０内に吸入される空気の吸入口５３ａが形成される。
【００６４】
（２−９−５）天板
天板５７は、図８のようにケーシング５０の上面を覆う天板部１５７と、天板部１５７の周縁から略鉛直下方に伸びる周縁部１５８とを有する。
【００６５】
天板部１５７は、平面視において、後方に向かって張り出す凸部１５９を有する略直方形状の板状部材であり、ケーシング５０の上面を構成する。周縁部１５８のうち背面側は、凸部１５９から鉛直下方に延びる突出背面部１５９ａと、それ以外の背面部１５８ａとを含む。つまり、突出背面部１５９ａと室外熱交換器２５との距離は、背面部１５８ａと室外熱交換器２５との距離よりも離れている。より具体的には、突出背面部１５９ａは、背面部１５８ａに対し、ネジ１３６の軸部１３６ｂの長さＬ１以上背面側に突出している。なお、背面部１５８ａと、室外熱交換器２５とは、図７のように、接触しない程度に近接して配置される。
【００６６】
突出背面部１５９ａは、ネジ１３６により、モータ台１３０の固定部１３４と共締めされる。また、天板５７の周縁部１５８には、突出背面部１５９ａ以外の部分で、左ケーシング部材１５１および右後板５６がネジ等により固定される。
【００６７】
（２−９−６）仕切板
仕切板５８は、ケーシング５０の底フレーム５２から天板５７まで略鉛直上方に延びる板状部材である。仕切板５８は、その下部が底フレーム５２とネジ等により固定される。仕切板５８は、図３に示すように、平面視において弧状の形状を有する。仕切板５８は、ケーシング５０の内部を送風機室Ｓ１と、機械室Ｓ２とに分割する。
【００６８】
送風機室Ｓ１は、左ケーシング部材１５１および仕切板５８に側面を囲まれて形成された空間であり、主に室外ファン３５および室外熱交換器２５が配置される。機械室Ｓ２は、右前板５５、右後板５６および仕切板５８で側面を囲まれて形成された空間であり、圧縮機２３、四路切換弁２４や、電装ユニット等が配置される。
【００６９】
（２−１０）吹出グリル
吹出グリル６０は、室外ファン３５に人間の手指や異物が接触することを防止する略直方形状のカバー部材である。吹出グリル６０は、左ケーシング部材１５１の前板５１の吹出口５１ａ全体をカバーするように、ケーシング５０の正面外側に取り付けられる。すなわち、吹出グリル６０は、ケーシング５０の吹出口５１ａに対し、室外ファン３５から吹き出す空気の吹き出し方向に取り付けられる。
【００７０】
（３）特徴
（３−１）
本実施形態にかかる空気調和装置１の室外ユニット２０は、室外ファン３５と、ケーシング５０と、モータ台１３０と、室外熱交換器２５と、ネジ１３６とを備える。室外ファン３５は、モータ３５ａにより駆動され、水平方向に吹き出す。ケーシング５０は、天板５７と、ファンの吹出口５１ａが形成された前板５１とを有する。モータ台１３０は、モータ３５ａを保持する。室外熱交換器２５は、モータ台１３０の背面側に配置され、アルミニウム製又はアルミニウム合金製である。ネジ１３６は、天板５７とモータ台１３０とを固定する。天板５７は、平面状の天板部１５７と、天板部１５７の背面側端部から下方に延びる第１背面部としての突出背面部１５９ａ、および、第２背面部としての背面部１５８ａを有する。背面部１５８ａは、天板部１５７の背面側端部から下方に延びる部分であって、突出背面部１５９ａ以外を指す。突出背面部１５９ａは、背面部１５８ａに対し、背面側に突出している。モータ台１３０は、正面側から背面側に向かって室外熱交換器２５の上方を通過して突出背面部１５９ａまで延びる延伸部１３３と、延伸部１３３から突出背面部１５９ａと平行に下方に延びる固定部１３４と、を有する。ネジ１３６は、突出背面部１５９ａと固定部１３４とを共締めして固定する。
【００７１】
これにより、ネジ１３６が取り付けられる突出背面部１５９ａと室外熱交換器２５との距離を離すことができる。その結果、ネジ１３６と室外熱交換器２５とは接触しにくくなり、室外熱交換器２５の損傷が発生しにくい。一方で、背面部１５８ａは突出背面部１５９ａに対して前方に位置するので、室外ユニット２０を小型化可能である。
【００７２】
（３−２）
本実施形態にかかる空気調和装置１の室外ユニット２０では、突出背面部１５９ａは、背面部１５８ａに対しネジ１３６の軸部１３６ｂの長さＬ１以上、背面側に突出する。
【００７３】
これにより、室外ユニット２０を小型化したときにも、ネジ１３６と室外熱交換器２５との接触を確実に防止し、室外熱交換器２５の損傷を防止することが容易になる。なお、ネジ１３６の軸部１３６ｂとは、ネジ１３６全体からのネジ１３６の頭部１３６ａを除いた部分を指す。
【００７４】
（３−３）
本実施形態にかかる空気調和装置１の室外ユニット２０では、ネジ１３６は鋼製である。
【００７５】
アルミニウム製又はアルミニウム合金製の室外熱交換器２５とネジ１３６とが接触した場合には、室外熱交換器２５に腐食が発生しやすい。このような場合であっても、ネジ１３６と室外熱交換器２５の接触が防止されるので、室外熱交換器２５の腐食が発生しにくい。
【００７６】
（３−４）
本実施形態にかかる空気調和装置１の室外ユニット２０において、延伸部１３３は、固定部１３４よりも正面側であって、室外熱交換器２５よりも背面側に、延伸部１３３から下方に延びる抑止板１３５を有する。
【００７７】
これにより、ネジ１３６をねじ込みすぎた場合や、誤った寸法のネジ１３６を取り付けた場合であっても、ネジ１３６は、室外熱交換器２５に接触するより前に抑止板１３５と接触する。そのため、ネジ１３６が室外熱交換器２５に接触することをより確実に防止できる。その結果、室外ユニット２０を小型化しても、室外熱交換器２５がネジ１３６と接触して損傷することがない。
【００７８】
（３−５）
本実施形態にかかる空気調和装置１の室外ユニット２０では、樹脂製の第１シール材として抑止板シール材１３９をさらに備える。抑止板シール材１３９は、室外熱交換器２５と鋼製の抑止板１３５との間に挟まれるように配置される。
【００７９】
これにより、アルミニウム製又はアルミニウム合金製の室外熱交換器２５と、モータ台１３０の鋼製の抑止板１３５とを近づけて配置し、室外ユニット２０の小型化を図った場合であっても、樹脂製の抑止板シール材１３９が室外熱交換器２５と抑止板１３５との間に配置されるので、抑止板１３５と室外熱交換器２５との直接接触を防止できる。その結果、室外熱交換器２５の腐食を防止できる。
【００８０】
（３−６）
本実施形態にかかる空気調和装置１の室外ユニット２０では、樹脂製の第２シール材として延伸部シール材１３８をさらに備える。延伸部シール材１３８は、室外熱交換器２５と鋼製の延伸部１３３の下面１３３ａとの間で挟まれるように配置される。
【００８１】
これにより、アルミニウム製又はアルミニウム合金製の室外熱交換器２５と、モータ台１３０の鋼製の延伸部１３３とを近づけて配置することで室外ユニット２０の高さを下げ、室外ユニット２０の小型化を図った場合であっても、樹脂製の延伸部シール材１３８が室外熱交換器２５と延伸部１３３との間に配置されるので、延伸部１３３と室外熱交換器２５の直接接触を防止できる。その結果、室外熱交換器２５の腐食を防止できる。
【００８２】
（３−７）
本実施形態にかかる空気調和装置１の室外ユニット２０では、ケーシング５０は、ケーシング５０の下面を形成する底フレーム５２を有する。モータ台１３０は、底フレーム５２と固定され、底フレーム５２から上方に伸びる脚部１３１を有する。延伸部１３３は、脚部１３１の上端から背面側に水平に延びる。
【００８３】
これにより、モータ台１３０が、天板５７以外にも底フレーム５２とも固定されるため、モータ台１３０をしっかりと固定できる。そのため、運搬中の振動等によりモータ台１３０の一部が室外熱交換器２５に接触し、室外熱交換器２５を損傷することを防止できる。
【００８４】
（４）変形例
以下に本実施形態の変形例を示す。なお、複数の変形例を適宜組み合わせてもよい。
【００８５】
（４−１）変形例Ａ
上記の実施形態に示された室外ユニット２０は、空気調和装置１に使用されるものであるが、これに限定されるものではなく、その他の冷凍装置に使用されるものであってもよい。
【００８６】
（４−２）変形例Ｂ
上記の実施形態に示された室外ユニット２０では、モータ台１３０と天板５７とは鋼製のネジ１３６により固定されるが、これに限定されるものではなく、ネジ１３６はその他の材質であってもよい。
【００８７】
この場合においても、ネジ１３６が室外熱交換器２５に接触して、室外熱交換器２５を損傷するのを防止可能である。
【００８８】
（４−３）変形例Ｃ
上記の実施形態に示された室外ユニット２０では、天板５７の突出背面部５９ａが背面部５８ａに対して突出する距離は、固定板１３４と突出背面部５９ａとを固定するネジ１３６の軸部１３６ｂの長さＬ１以上に離れているが、これに限定されるものではなく、以下のような条件を満たすことがさらに望ましい。
【００８９】
突出背面部５９ａが背面部５８ａに対して突出する距離Ｌ３は、背面部５８ａにネジ１３６を取り付けた場合に室外熱交換器２５にネジ１３６が食い込んでしまう長さＬ２より大きく、かつ、ネジ１３６の軸部１３６ｂの長さＬ１以下、すなわち、Ｌ２＜Ｌ３≦Ｌ１であることが望ましい。
【００９０】
より具体的に、具体的な数値を用いて説明する。
【００９１】
例えば、ネジ１３６の軸部１３６ｂの長さＬ１を２０ｍｍ、背面部５８ａと室外熱交換機２５との最短距離を１０ｍｍと仮定する。
【００９２】
この場合、背面部５８ａにネジ穴を設け、ネジ１３６を取り付けたとすれば、ネジ１３６の軸部１３６ｂの長さＬ１よりも、背面部５８ａと室外熱交換機２５との最短距離の方が短いため、ネジ１３６は室外熱交換器２５に食い込むことになる。この食い込み長さをＬ２とすると、Ｌ２＝（ネジ１３６の軸部１３６ｂの長さＬ１−背面部５８ａと室外熱交換機２５との最短距離）＝１０ｍｍと計算される。
【００９３】
この場合には、突出背面部５９ａが背面部５８ａに対して突出する距離Ｌ３は、Ｌ２＝１０ｍｍより長く、ネジ１３６の軸部１３６ｂの長さＬ１＝２０ｍｍ以下であればよい。
【００９４】
突出背面部５９ａと背面部５８ａとの距離Ｌ３（突出背面部５９ａが背面部５８ａに対して突出する距離Ｌ３）をＬ２より長くすることで、突出背面部５９ａにネジ１３６をねじ込んでも、室外熱交換器２５とネジ１３６とが接触することがない。また、突出背面部５９ａが背面部５８ａに対して突出するＬ３をネジ１３６の軸部１３６ｂの長さＬ１以下とすることで、無駄に室外ユニット２０が大型化するのを防止できる。
【符号の説明】
【００９５】
１  空気調和装置（冷凍装置）
２０  室外ユニット
２５  室外熱交換器（熱交換器）
３５  室外ファン（ファン）
３５ａ  モータ
５０  ケーシング
５１  前板
５１ａ  吹出口
５２  底フレーム
５７  天板
１３０  モータ台
１３１  脚部
１３３  延伸部
１３３ａ  下面（延伸部の下面）
１３４  固定部
１３５  抑止板
１３６  ネジ
１３６ｂ  軸部
１３８  延伸部シール材（第２シール材）
１３９  抑止板シール材（第１シール材）
１５７  天板部
１５８ａ  背面部（第２背面部）
１５９ａ  突出背面部（第１背面部）
Ｌ１  軸部の長さ
【先行技術文献】
【特許文献】
【００９６】
【特許文献１】特開２００６−１７７６２０号公報
【図１】
0005720563.tif 000002
【図２】
0005720563.tif 000003
【図３】
0005720563.tif 000004
【図４】
0005720563.tif 000005
【図５】
0005720563.tif 000006
【図６】
0005720563.tif 000007
【図７】
0005720563.tif 000008
【図８】
0005720563.tif 000009